(57)【要約】【課題】しわの少ない乾燥仕上がりを実現する洗濯乾燥機を提供する。【解決手段】筺体と、該筺体に弾性支持された外槽と、該外槽に回転自在に支持された内槽と、該内槽の下部に衣類を撹拌するための回転翼と、空気を前記内槽の内部に送風する送風ファンと、前記空気を前記内槽の内部へ導く乾燥ダクトとを備えた洗濯乾燥機において、前記乾燥ダクトから送風された空気を前記内槽の上方から下方へ導く内槽風路を、前記内槽の内周の一部に設け、前記乾燥ダクトの出口の流路断面積を、前記内槽風路の入口の流路断面積よりも小さくなるように形成し、乾燥工程中の少なくとも一部に、前記乾燥ダクトの出口が前記内槽風路の入口と対向して静止した状態で前記送風ファンを駆動する運転を有する。【選択図】図２
2015223452.tif 000002
【特許請求の範囲】
【請求項１】
筺体と、該筺体に弾性支持された外槽と、該外槽に回転自在に支持された内槽と、該内槽の下部に衣類を撹拌するための回転翼と、空気を前記内槽の内部に送風する送風ファンと、前記空気を前記内槽の内部へ導く乾燥ダクトとを備えた洗濯乾燥機において、
前記乾燥ダクトから送風された空気を前記内槽の上方から下方へ導く内槽風路が、前記内槽の内周の一部に設けられ、
前記乾燥ダクトの出口の流路断面積が、前記内槽風路の入口の流路断面積よりも小さくなるように形成されており、
乾燥工程中の少なくとも一部に、前記乾燥ダクトの出口が前記内槽風路の入口と対向して静止した状態で前記送風ファンを駆動する運転を有することを特徴とする洗濯乾燥機。
【請求項２】
請求項１において、前記乾燥ダクトの流路断面積は出口で最も小さくなることを特徴とする洗濯乾燥機。
【請求項３】
請求項１乃至２において、前記乾燥ダクトの一部が伸縮する伸縮継ぎ手を備え、前記伸縮継ぎ手が伸びることで前記乾燥ダクトの出口と前記内槽風路の入口とを接続することを特徴とする洗濯乾燥機。
【請求項４】
筺体と、該筺体に弾性支持された外槽と、該外槽に回転自在に支持された内槽と、該内槽の下部に衣類を撹拌するための回転翼と、空気を前記内槽の内部に送風する送風ファンと、前記空気を前記内槽の内部へ導く乾燥ダクトとを備えた洗濯乾燥機において、
前記乾燥ダクトから送風された空気を前記内槽の上方から下方へ導く内槽風路が、前記内槽の内周の一部に設けられ、
前記内槽風路の入口の鉛直投影内に、前記乾燥ダクトの出口の鉛直投影が含まれる状態で、前記送風ファンを駆動する乾燥工程を有することを特徴とする洗濯乾燥機。
【発明の詳細な説明】
【技術分野】
【０００１】
本発明は内槽や回転翼を回転させて衣類の洗いやすすぎを行い、さらに内槽を回転して衣類の脱水を行い、その後に内槽に温風、或いは乾燥風を吹き込んで衣類を乾燥する機能を備えた洗濯乾燥機に関するものである。
【背景技術】
【０００２】
一般的に洗濯乾燥機は、衣類を収容する内槽の底部に回転翼を設け、内槽及び回転翼を回転支持する外槽に水を溜めた状態で、回転翼を正逆回転させることで洗いを行う。そして、内槽を高速回転させて脱水を終了した後の乾燥工程では、送風ファンにより衣類の水分を含んだ空気が循環経路に導かれ、この循環経路に設けられた除湿機構により水分を取り除いた後、ヒータで加熱して温度を上昇させ、この空気を内槽の上方から内槽内へ再び吹き出すような構成としている。また、乾燥工程では回転翼や内槽を正逆回転させて衣類を撹拌し、送風ファンから送られた空気を衣類に均一に吹き付けることで、衣類ごとの乾燥度合いを均一にしている。
【０００３】
しかしながら、この撹拌を長時間行うと、衣類の絡みやねじれが生じやすく、この状態で乾燥するとしわになり易い。また、内槽を高速回転させて脱水する洗濯乾燥機は、送風ファンを回転する内槽に設けることが出来ないことから、送風ファンから送られた空気の吹き出し口と衣類との距離が長くなり、吹き出し口からの噴流が広がり、衣類に当たる空気の風速が減速してしまう。
【０００４】
そこで、短時間で衣類の乾燥を行う従来技術として、特許文献１には、「内槽の内部へ送風した空気を内槽上方から内槽下方へ導く温風路を内槽の壁面に沿って設けた」と記載されている。これによると、「衣類の出し入れをしやすくすると共に、乾燥効率を向上させ、乾燥時間を短縮し筺体を小型化できる」と記載されている。
【先行技術文献】
【特許文献】
【０００５】
【特許文献１】特開２００６−１５０２８号公報
【発明の概要】
【発明が解決しようとする課題】
【０００６】
特許文献１に記載された技術では、送風ファンから内槽内部へ送風する送風口の断面積と温風路の入口の断面積の関係について、何ら考慮されていない。このため、送風口と温風路入口との隙間から空気が漏れやすく、結果として、温風路の下側から吹き出す空気の風量が減少するため、風速も低下してしまう。
【０００７】
本発明の目的は、送風ファンから衣類に向かって吹き出す出口までの間に空気が漏れるのを防ぎ、衣類に近い距離から風量と風速の大きい空気流を送風し続けることで、しわの少ない乾燥仕上がりを実現する洗濯乾燥機を提供することにある。
【課題を解決するための手段】
【０００８】
上記課題を解決するために、本発明は、筺体と、該筺体に弾性支持された外槽と、該外槽に回転自在に支持された内槽と、該内槽の下部に衣類を撹拌するための回転翼と、空気を前記内槽の内部に送風する送風ファンと、前記空気を前記内槽の内部へ導く乾燥ダクトとを備えた洗濯乾燥機において、前記乾燥ダクトから送風された空気を前記内槽の上方から下方へ導く内槽風路を、前記内槽の内周の一部に設け、前記乾燥ダクトの出口の流路断面積を、前記内槽風路の入口の流路断面積よりも小さくなるように形成し、乾燥工程中の少なくとも一部に、前記乾燥ダクトの出口が前記内槽風路の入口と対向して静止した状態で前記送風ファンを駆動する運転を有する。
【発明の効果】
【０００９】
本発明によれば、送風ファンより下流に位置する乾燥ダクトの出口と、内槽に設けた内槽風路の入口との接続部分で空気が漏れにくく、衣類の下層部に当たる空気の風量と風速を大きくすることができるため、衣類のしわが少ない乾燥仕上りの良い洗濯乾燥機を提供できる。
【図面の簡単な説明】
【００１０】
【図１】本発明が適用される洗濯乾燥機の外観図である。
【図２】図１に示す洗濯乾燥機の要部を示す縦断面図である。
【図３】図２のＡ−Ａ断面の要部を示す平面図である。
【図４】図１に示す洗濯乾燥機の要部を示す縦断面図である。
【図５】図１に示す洗濯乾燥機の制御処理の一部を示すフローチャートである。
【図６】本発明の実施例２となる洗濯乾燥機の縦断面図である。
【発明を実施するための形態】
【００１１】
以下、本発明の実施の形態例について図面を用いて詳細に説明する。
【実施例１】
【００１２】
図１は洗濯乾燥機１００の外観図、図２は洗濯乾燥機１００の要部断面であり、内槽９の回転軸をｚ、内槽９の鉛直方向中心を一点鎖線Ｂ−Ｂ、そして乾燥工程時に衣類に吹き付ける空気の流れを矢印で示す。また、図２は温風吹き出し口（乾燥Ａダクト５１の出口）５１ａと内槽風路入口５２ａとが対向した状態を表す。
【００１３】
図１より、洗濯乾燥機１００は、外郭を構成する筺体１を備え、筺体１の上部にあるトップカバ−２の前側には電源スイッチ５や洗剤・仕上げ剤容器２８が設けてある。また筺体１には、衣類投入口２ａを覆うように外蓋３が設けられている。外蓋３の前側には、取っ手３ａと、操作スイッチ６や表示器７を備えた操作パネル８が設けられており、取っ手３ａを上方に引くと中央で折り曲がり開くようになっている。なお、操作パネル８は、筺体１の底部に設けた制御装置１４に電気的に接続している。
【００１４】
筺体１の内部には、水を溜める外槽１０が弾性支持されている。外槽１０の側面外側には、洗濯時や脱水時の外槽１０の振動を検出するための、振動センサ２７を備えている。また、外槽１０の底面には、エアトラップ２１ａが設けてあり、その内部の圧力がチューブ２１ｂを介して水位センサ２１に伝えられ、外槽１０内に溜められた水の水位を検知する。
【００１５】
外槽１０の内部には、衣類を収納するための内槽９を備える。内槽９は、その外周壁に通水および通風のための多数の小さな貫通孔９ａと、その底壁に通水および通風のための複数の貫通孔９ｂを有し、その上縁部に流体バランサー９ｃを備え、底部の内側には回転翼１１を回転自在に支持している。また、内槽９の内周の一部における内周壁には、温風吹き出し口５１ａから吹き出した空気を内槽９の上方から下方へ導くための内槽風路５２が設けてある。この内槽風路５２は、温風吹き出し口５１ａに向けて開口する内槽風路入口５２ａと、内槽９の中心に向かって開口する内槽風路出口５２ｂを備える。なお、この内槽風路入口５２ａは、流体バランサー９ｃよりも内径側に配置している。
【００１６】
外槽１０の底部の外側にはモータ１３が設けてあり、クラッチ機構１２を制御することで、内槽９と回転翼９の回転を次のように動作させることが出来る。一つは、内槽９を静止させるように係止または自由に回転できるように解放した状態で回転翼１１を繰り返し正逆回転させる動作で、主に衣類を撹拌させる場合に用いる。もう１つは、内槽９と回転翼１１を一体的に同一方向に回転させる動作で、主に衣類の撹拌と遠心脱水する場合に用いる。
【００１７】
外槽１０の上面には槽カバ−３１が設けてあり、槽カバー３１は上面と下面を連通する衣類投入口３１ａ、洗剤・柔軟仕上げ剤入口２８ａ、温風吹き出し口５１ａ、給水入口３２（図３参照）、循環水入口３３を備える。また、槽カバー３１には、衣類投入口３１ａを覆うように内蓋２３が設けてあり、ヒンジ２３ｂにより開閉自在とする。内蓋２３は、取っ手２３ａを上方に持ち上げることでロックが解除されて開き、下方に押すことでロックされる。
【００１８】
筺体１の後側には乾燥Ａダクト５１と乾燥Ｂダクト２２を設けている。乾燥Ａダクト５１は、送風ファン１９の出口と温風吹き出し口５１ａとの間を接続し、その途中には熱源であるヒータ２０と、温度センサ２６を備える。一方、乾燥Ｂダクト２２は、通水通気口１０ｂと送風ファン１９との間を接続し、その途中には、空気を除湿するための除湿機構２２ｂを備える。また、筺体１には給水電磁弁４が設けてあり、内槽９、除湿機構２２ｂ、そして洗剤・仕上げ剤容器２８に給水可能となっている。
【００１９】
外槽１０には、通水通気口１０ｂと循環水入口３３との間を接続する循環パイプ１７を設けている。循環パイプ１７の途中には、筺体１の底部に設けた循環ポンプ１６、異物トラップ１８があり、異物トラップ１８には排水弁１５を介して排水ホース２４が接続している。循環ポンプ１６を運転すると、外槽１０内の水は、通水通気口１０ｂから循環パイプ１７を通り外槽１０の上部に運ばれ、槽カバー３１の循環水入口３３から外槽１０内に導かれ、糸屑を取り除いた後に内槽９内に散水される。
【００２０】
ここで、温風吹き出し口５１ａと内槽風路入口５２ａの流路断面積の大小関係について、図２及び図３を用いて説明する。図３は、図２中のＡ−Ａ断面の要部を示す平面図であり、上方から見て内槽風路入口５２ａの内槽９の周方向長さをＬ、径方向長さをｄで示す。流路断面積とは空気の流れ方向に垂直な面であり、内槽風路入口５２ａの流路断面積を温風吹き出し口５１ａの流路断面積よりも大きくする。これにより、温風吹き出し口５１ａと内槽風路入口５２ａは図３から見て重なる範囲が広くなることで、内槽９を回転させて温風吹き出し口５１ａと内槽風路入口５２ａとを対向させる位置に固定しようとした時、内槽９の位置決めがし易くなり、温風吹き出し口５１ａから出た空気を内槽風路５２へ送風することが出来る。特に、内槽風路入口５２ａの内槽９の周方向長さＬが、径方向長さｄよりも大きくすることで、内槽風路５２が内槽９の径方向に突出する量を抑えながら、温風吹き出し口５１ａと内槽風路入口５２ａとをより対向させやすくなる。なお、本実施例では温風吹き出し口５１ａを円形としているが、内槽風路入口５２ａに合せて楕円形とする方が空気の漏れは少なくなる。
【００２１】
また、内槽風路出口５２ｂの流路断面積は、内槽風路入口５２ａの流路断面積よりも大きくする。これにより、内槽風路５２に流入した空気が内槽風路入口５２ａから漏れるのを防ぐことができる。さらに、内槽風路５２は、内槽風路入口５２ａを流体バランサー９ｃよりも回転軸ｚに近い位置に設けることで、流体バランサー９ｃの制振性能を損なわずに、内槽風路出口５２ｂまで空気を導くことが出来る。また、内槽風路５２は内槽風路出口５２ｂを少なくとも内槽９の鉛直方向の中心である一点鎖線Ｂ−Ｂよりも下方に備えることで、乾燥工程時に内槽９の下側に溜まった衣類に対して、内槽９の上方から衣類への空気を吹き付ける場合に比べ、より近い距離から空気を吹き付けることが出来る。
【００２２】
次に、乾燥Ａダクト５１の流路断面積について、図２及び図３を用いて説明する。乾燥Ａダクト５１は、送風ファン１９の出口から温風吹き出し口５１ａに向かって流路断面積が減少し、温風吹き出し口５１ａで流路断面積が最小となるように設ける。これにより、送風ファン１９から送られた空気は増速され、温風吹き出し口５１ａから出る空気の速度が大きくなる。同時に、温風吹き出し口５１ａ近傍の静圧が低下することで、温風吹き出し口５１ａと内槽風路入口５２ａとの隙間から周囲の空気が流入し、内槽風路５２に導かれる空気の風量は増加する。このように、温風吹き出し出口５１ａで空気の流れを絞ることで、内槽風路出口５２ｂから衣類に向けて吹き付ける空気の風量が増加し、衣類のしわをより低減することが出来る。
【００２３】
ここで図４は、内槽風路５２と、それと同様の作用効果を有する内槽風路７１の二つの流路を設けた構成の縦断面図である。内槽風路７１を設けることで、内槽９の下部から空気を吹き付ける場所が増えてより万遍なく衣類に送風できるため、乾燥時間が短くなり、衣類のしわを低減できる。また、内槽風路７１の重心は、回転軸ｚに対して内槽風路５２の重心と対向する位置となるように設けられている。これは、内槽９が回転した時に内槽風路５２のみでは回転軸ｚに対して不釣り合い質量となるが、内槽風路７１を設けることで、内槽９と、内槽９に固定された内槽風路５２や内槽風路７１などの構成要素の合計から成る回転体としての偏心質量は小さくなり、釣り合いがとり易くなる。なお、内槽９が回転した時に回転軸ｚと釣り合うように設置する質量は、前述の内槽風路７１に限らず、内槽９内に設ける流路、水の流れや布の動きを促進するための構造物、糸屑捕集手段などでも同様の効果が得られ、またそれらを複数個設けてもよい。
【００２４】
次に、制御装置４が実行する洗濯乾燥運転の制御フローについて図５を用いて説明する。
【００２５】
≪ステップＳ１０１≫
洗濯乾燥機の状態確認および初期設定を行う。
【００２６】
≪ステップＳ１０２≫
操作パネル８の表示器７を点灯表示し、操作スイッチ６からの指示入力に従って洗濯コースを設定する。指示入力がない状態では、標準の洗濯コースまたは前回実施の洗濯コースを自動的に設定する。
【００２７】
≪ステップＳ１０３≫
操作パネル８の操作スイッチ６における運転開始の指示入力を監視して処理を分岐する。
【００２８】
≪ステップＳ１０４≫
洗い水を給水する前の乾布状態において、衣類の重量検出処理を実行する。次に、予め設定した布量と洗剤量及び水量の対照テーブルから、必要な洗剤量と水量を求める。
【００２９】
≪ステップＳ１０５≫
求めた洗剤量を操作パネル８の表示器７に表示する。
【００３０】
≪ステップＳ１０６≫
使用者が表示された量の洗剤を洗剤・柔軟仕上げ剤容器２８に投入するまでの間、所定時間待機する。
【００３１】
≪ステップＳ１０７≫
高濃度の洗い水を生成するための洗剤溶かしを実施する。まず、給水電磁弁４を開き、洗剤・柔軟仕上げ剤容器２８の洗剤投入室に給水し、洗剤給水の水と共に洗剤・柔軟仕上げ剤入口２８ａを通り外槽１０の底部に落下する。
【００３２】
次に、洗剤溶かし水位まで給水したら給水を停止する。洗剤溶かし水位とは、内槽９を回転させたときに、内槽９の底で給水した水と洗剤を攪拌するのに十分な水量で、かつ水面が回転翼１１の下面の高さより低くなる（衣類が洗剤溶かし前に濡れない）ように設定したものである。
【００３３】
最後に、内槽９を回転させることによって、外槽１０の底部に投入された洗剤溶かし水と洗剤を攪拌して、洗剤が高濃度に溶解した洗い水を生成する洗剤溶かしが実行される。
【００３４】
≪ステップＳ１０８≫
前洗いを実行する。まず、内槽９を静止させた状態で回転翼１１を正逆回転させる撹拌を間欠的に行ない、回転翼１１の正逆回転中に循環ポンプ１６を運転することによって外槽１０の底部の洗い水を衣類の上に降り掛ける。このとき、高濃度の洗い水が衣類に散布されるため、洗剤の浸透作用で衣類にむらなく浸透する。衣類に浸透した高濃度の洗い水は、油の溶解能力が高く、皮脂汚れなどの油脂汚れを溶解し、衣類から汚れが浮き上がらせる効果が非常に大きく、高い洗浄力が得られる。次に、回転翼１１と循環ポンプ１６の停止中に水位センサ２１の検出信号を参照しながら給水電磁弁４を開いて水位が設定水位を越えないように補給水する。この運転を複数回繰り返すことによって、衣類に洗い水が浸透する。
【００３５】
≪ステップＳ１０９≫
本洗いを実行する。まず、内槽９を静止させた状態で回転翼１１を正逆回転させながら循環ポンプ１６を運転し、外槽１０の底部に溜った洗い水を衣類に降り掛けて洗いを行なう。最後に、循環ポンプ１６の運転を停止して洗い水の循環を止めた状態で回転翼１１を正逆回転させることで、内槽９内の衣類の分布を均一にし、本洗い時間を終了させるようにする。
【００３６】
≪ステップＳ１１０≫
シャワーすすぎを実行する。まず、排水弁１５を開いて外槽１０の底部に溜っている洗い水を排水した後に、内槽９を一方向に回転させて衣類に含まれている洗い水を遠心脱水する。内槽９の脱水時の回転速度は、後述する最終脱水における回転速度（約１０００ｒ/ｍｉｎ）と同様に設定し、高い脱水率を実現するように脱水運転を行なう。次に、内槽９を所定の回転速度で回転させながら、給水電磁弁４を開放して水道水を回転翼１１上の衣類に降り掛けるように給水し、衣類に含まれる洗剤分を希釈する。この動作を所定時間行った後、内槽９を所定の脱水回転速度まで上昇させて、脱水を行う。
【００３７】
≪ステップＳ１１１≫
溜めすすぎを実行する。まず、排水弁１５を閉じて、給水電磁弁４を開いて洗剤・柔軟剤投入容器２８における柔軟仕上げ剤投入室に給水することによって、該柔軟仕上げ剤投入室内の柔軟仕上げ剤を外槽１０の底部に給水する。次に、ステップ１１０と同様に、内槽９により衣類の撹拌を行うことで、衣類が含む洗剤分を希釈する。
【００３８】
≪ステップＳ１１２≫
最終脱水を実行する。まず、排水弁１５を開いて外槽１０の底部に溜っている水を排水し、次に内槽９を一方向に回転させて衣類に含まれている洗い水を遠心脱水する。この最終脱水の回転数と運転時間は、所望の脱水率が得られるように設定する。
【００３９】
≪ステップＳ１１３≫
洗濯乾燥コースが設定されているかどうかを確認して処理を分岐する。
【００４０】
≪ステップＳ１１４≫
洗濯乾燥コースが設定されている場合は、乾燥を実行する。まず、排水弁１５を開放した後、送風ファン１９から送られた空気を内槽風路出口５２ｂまで導くために、内槽９を回転させて、温風吹き出し口５１ａと内槽風路入口５２ａとが対向した位置で静止させるように係止または自由に回転できるように解放した状態とする。
【００４１】
≪ステップＳ１１５≫送風ファン１９により送風を開始する。
【００４２】
≪ステップＳ１１６≫ヒータ２０に通電し、送風ファン１９から送られた空気を加熱する。このとき、送風ファン１９から送られた空気は、図２の矢印のように、乾燥Ａダクト５１を通って温風吹き出し口５１ａから内槽風路入口５２ａに向かって吹き出し、さらに内槽風路５２を通って内槽風路出口５２ｂから衣類に吹きつけられ、衣類を温めて水分を蒸発させる。高温多湿となった空気は、貫通孔９ａ、９ｂを通り外槽１０に出て、通水通気口１０ｂから乾燥Ｂダクト２２に送られ、除湿機構２２ｂにより除湿された空気となり、ヒータ２０で再度加熱され、内槽９内に吹き込むように循環する。
【００４３】
≪ステップＳ１１７≫
内槽風路出口５２ｂから出た空気が衣類に均一に当たるように、回転翼１１を正逆回転させて、衣類の撹拌を行う。なお、回転翼１１の正逆回転は断続的に行ってもよく、連続して行ってもよい。
【００４４】
≪ステップＳ１１８≫
内槽９を回転させることで、温風吹き出し口５１ａから衣類の上層部に空気を吹き付ける。この動作により、ステップＳ１１７で対向していた温風吹き出し口５１ａと内槽風路入口５２ａは、その位置関係は解消されて内槽風路出口５２ｂではなく温風吹き出し口５１ａから空気を吹き付けることになるため、空気が衣類に向かって吹き出す位置と衣類との距離が遠くなる。しかしながら、温風吹き出し口５１ａの流路断面積が最小となるように乾燥Ａダクト５１を設けてあるため、温風吹き出し口５１ａから吹き出した空気が内槽風路５２を介さずに直接衣類に吹きつける場合でも、高速の空気を衣類に吹き付けることが出来る。なお、乾燥工程で送風ファン１９により送風している間は、内槽９が回転している時間を、回転翼１１が回転している時間よりも短くする。すなわち、送風ファン１９で送風している間は、内槽９の回転が止まっている時間を、回転翼１１が内槽９に対して止まっている時間よりも長くする。これにより、温風吹き出し口５１ａと内槽風路入口５２aとが対向した状態で回転翼１１を動かすことが出来るため、内槽風路出口５２ｂから高速の空気流を送風しながら回転翼１１により衣類の撹拌ができ、万遍なく衣類に空気を吹き付けることが出来る。加えて、衣類に近い内槽風路出口５２ｂまで持続的に空気を導くことができ、衣類から遠い温風吹き出し口５１ａから空気を吹き付けるよりも速い風速の空気を衣類に長時間供給できる。これらの作用効果により、衣類が均一に乾燥するまでの時間は短くなり、かつ高速の空気で衣類のしわを持続的に伸ばすことが出来るため、衣類のしわを低減することが出来る。ただし、この内槽９が止まっている時間は、内槽９を係止させずに、自由に回転できるよう解放している時間も含むが、回転翼１１を回転させた勢いで、対向している温風吹き出し口５１ａと内槽風路入口５２ａの位置関係が解消している時間は含まない。このように、温風吹き出し出口５２ｂから衣類に空気を吹き付ける時間を極力長くすることで、衣類のしわを減少させることができる。
【００４５】
≪ステップＳ１１９≫
Ｓ１１４と同様に、内槽９を回転させて、温風吹き出し口５１ａと内槽風路入口５２ａとが対向する位置で固定する。
【００４６】
≪ステップＳ１２０≫温度センサ２６で検出した温風の温度変化の割合が、所定の値になったときに衣類が乾燥したと判断する。衣類が乾燥していない場合は、ステップＳ１１７からステップＳ１１９の動作を繰り返す。ただし、衣類のしわを減少させる効果が最も高いのは、衣類に近い内槽風路出口５２ｂから送風する方法であるため、内槽９を回転させて衣類の上層部に空気を当てるステップＳ１１８とＳ１１９を省略して、回転翼１１で撹拌しながら衣類の下層部に空気を送るステップＳ１１７のみとしてもよい。
【００４７】
≪ステップＳ１２１≫
ヒータ２０の通電をやめる。なお、本実施例では衣類が乾燥するまでヒータ２０の通電を続けたが、消費電力量を抑えるために、ステップＳ１１７からステップＳ１１９までの中で、一貫して通電しない場合や途中でヒータの通電をやめる場合、または通電を断続的に行っても良い。
【００４８】
≪ステップＳ１２２≫
送風ファン１９による送風を停止する。
【００４９】
≪ステップＳ１２３≫
乾燥工程を終了し、表示器７またはブザー４３で使用者に知らせる。
【００５０】
なお、以上で述べた洗濯乾燥運転は標準コースであり、毛布やいたみ易い衣類を対象とした特殊コースの場合は、衣類が傷まないように回転翼１１を回転させる時間は短い方が良い。この場合、乾燥工程の始めは、内槽９を回転させながら温風吹き出し口５１ａから衣類の上層部に向かって温風を吹き付け、最後に温風吹き出し口５１ａと内槽風路入口５２ａとを対向させて、内槽風路出口５２ｂから衣類に向かって空気を吹き付けることで、衣類の傷みも防ぎながら、しわも低減することが出来る。
【００５１】
また、本実施の形態例では空気を加熱する熱源としてヒータ２０を用いて説明したが、熱源はヒートポンプによるものでも同様の効果を得ることが出来る。
【実施例２】
【００５２】
図６は、第二の実施の形態例における洗濯乾燥機１００の温風吹き出し口６１ａ近傍を拡大して示す縦断面図である。図６（Ａ）（Ｂ）は、それぞれ温風吹き出し口６１ａと内槽風路入口６２ａとの接続前後を表しており、送風ファン１９から送風された空気を細い矢印で、その空気の流れに対して伸縮継ぎ手６１ｂが上流側に縮む力を太い矢印で、伸縮継ぎ手６１ｂが下流側に伸ばされる力を白抜きの矢印で示している。実施例２における洗濯乾燥機１００は、乾燥Ａダクト６１の温風吹き出し口６１ａ近傍に伸縮継ぎ手６１ｂを備える。これにより、乾燥Ａダクト６１は送風ファン１９から送風された空気の上流側から下流側に向かって、または上流側から下流側に向かって伸縮自在となり、伸縮継ぎ手６１ｂの伸縮により温風吹き出し口６１ａと内槽風路入口６２ａが接続または非接続となるどちらの形態も可能としている。なお、他の構成は第１の実施形態と同じであり、同一符号を付して説明を省略する。
【００５３】
ここで、伸縮継ぎ手６１ｂを伸縮させる形態の一例として、伸縮継ぎ手６１ｂが上流側に縮む復元力を備え、送風ファン１９から送られる空気の圧力で下流側に伸びる構成について述べる。まず、図９（Ａ）は、送風ファン１９から送られた空気が所定の圧力以下で、温風吹き出し口６１ａと内槽風路入口６２ａとが接続されていない状態を示す。このとき、内槽９は、温風吹き出し口６１ａに妨げられることなく回転自在であるため、脱水を行うことが出来る。
【００５４】
一方、図９（Ｂ）は、送風ファン１９から送られた空気が所定の圧力以上となり、温風吹き出し口６１ａと内槽風路入口６２ａとが接続された状態を示す。このとき、太い矢印で示す伸縮継ぎ手６１ｂの復元力よりも、白抜き矢印で示す送風ファン１９から送られた空気の圧力による伸び力の方が大きいため、温風吹き出し口６１ａは内槽風路入口６２ａの上面または内槽風路６２の内壁に押しつけられ、空気の漏れが少なくなる。また、内槽風路６２には、温風吹き出し口６１ａ近傍の乾燥Ａダクト６１との接触面積が大きくなるように、乾燥Ａダクト６１の温風吹き出し口６１ａの近傍に沿った傾斜部６２ｂを設けることで、接続した際に摩擦力で抜けにくくすると共に、空気の漏れが少なくなる。特に、図３のように、周方向長さＬが長い場合、乾燥Ａダクト６１と内槽風路６２との接触面積が小さくなりやすいので、傾斜部６２ｂにより接触面積を大きくする必要がある。
【００５５】
このように、送風ファン１９を用いて、伸縮継ぎ手６１ｂの伸縮を任意に切替えることで、内槽９を回転させる時はその妨げとならないように伸縮継ぎ手６１ｂを縮めて非接続とし、衣類に空気を吹き付ける時は空気の漏れが少なくなるように伸縮継ぎ手６１ｂを伸ばして接続とすることが出来るため、衣類に当たる空気の風速の減速を抑え、衣類のしわを低減することが出来る。
【００５６】
なお、本実施例では伸縮継ぎ手６１ａをゴム製の蛇腹形状として、伸縮継ぎ手６１ａ自身に復元力を持たしているが、コイルばねや板ばねなどで復元力を与えても良い。また、伸縮継ぎ手６１ａを下流側に伸ばす力として、送風ファン１９から送られた空気の圧力を利用したが、モータや電磁力により外部から力を与えても良い。また、温風吹き出し口６１ａの開口形状を、内槽風路入口６２ａの開口形状と相似関係となるように設けることで、温風吹き出し口６１ａと内槽風路入口６２ａとの隙間が狭くなり、より空気が漏れにくくなる。
【００５７】
また、本実施の形態例では熱源としてヒータ２０を用いて説明したが、熱源はヒートポンプによるものでも同様の効果を得ることが出来る。
【符号の説明】
【００５８】
１    筺体
９    内槽
１０    外槽
１１    回転翼
１９    送風ファン
２２    乾燥Ｂダクト
５１    乾燥Ａダクト
５１ａ  温風吹き出し口
５２    内槽風路
５２ａ  内槽風路入口
５２ｂ  内槽風路出口
【図１】
2015223452.tif 000003
【図２】
2015223452.tif 000004
【図３】
2015223452.tif 000005
【図４】
2015223452.tif 000006
【図５】
2015223452.tif 000007
【図６】
2015223452.tif 000008